(57)【要約】【課題】構造が簡単で、背凭れへのオプション部材の取り付け作業が容易であり、しかも特殊な加工を施したり、特別な部品を用いたりすることなく、締結部材の脱落を防止しうるようにした椅子を提供する。【解決手段】背凭れフレーム９の後面に、オプション部材であるハンガー７０を締着固定する締結部材の一部である板ナット９５を、背凭れフレーム９の前面に設けた締結部材収容部に収容し、背凭れフレーム９の前面に取り付けた背当部材１０の一部であるボス５１の後端が、板ナット９５の前面に当接して、板ナット９５が締結部材収容部から脱落するのを防止しうるようにする。【選択図】  図１６
2014023853.tif 000002
【特許請求の範囲】
【請求項１】
後面にオプション部材取付部が、また前面に締結部材収容部が設けられ、かつ前記締結部材収容部からオプション部材取付部にかけて、前後方向を向く貫通孔が設けられた背凭れ支持部材と、
前面に、前記背凭れ支持部材におけるオプション部材取付部に取り付けられる被取付部が設けられたオプション部材と、
一部が前記背凭れ支持部材における締結部材収容部に収容され、かつ他部が前記貫通孔へ挿通され、前記オプション部材と背凭れ支持部材とを締結する締結部材と、
前記背凭れ支持部材の前面に取り付けられ、かつ前記背凭れ支持部材における締結部材収容部に収容された締結部材の一部の前面に当接し、その締結部材収容部から前方への脱落を阻止する当接部を有する背当部材とを備えることを特徴とする椅子。
【請求項２】
締結部材を、オプション部材側から背凭れ支持部材の貫通孔に挿通されたボルトと、背凭れ支持部材の締結部材収容部に収容され、前記ボルトと螺合するナットとからなるものとし、かつ前記背凭れ支持部材の締結部材収容部に、前記ナットの回り止め手段を設けた請求項１記載の椅子。
【請求項３】
背当部材の本体の上部後面に、複数のボスを突設し、一部のボスを背凭れ支持部材に固着し、かつ他の一部のボスの後端をもって当接部とした請求項１または２記載の椅子。
【請求項４】
背当部材の本体の上部後面に、該後面から後方に離間するようにして垂下片を設け、この垂下片の前面に、背当部材の一部をなす当て板を配設し、前記当て板の後面に突設した複数のボスを、前記垂下片に設けたボス挿通孔に挿通させて、一部のボスを背凭れ支持部材に固着し、かつ他の一部のボスの後端をもって当接部とした請求項１〜３のいずれかに記載の椅子。
【請求項５】
背凭れ支持部材が、左右１対の縦杆の上端部同士を連結する上部連結部と、前記両縦杆の下端部同士を連結する下部連結部とを備える正面視ほぼ方形の枠状をなすものとし、かつ前記上部連結部の一部の縦断側面形状を、前方に向かって開口する凹部が形成されたコ字状とし、前記凹部をもって締結部材収容部とした請求項１〜４のいずれかに記載の椅子。
【請求項６】
背凭れ支持部材における締結部材収容部および貫通孔、締結部材、並びに背当部材における当接部を、それぞれ左右１対ずつ設け、それらの中間部において、前記背凭れ支持部材と背当部材とを、結合手段をもって結合した請求項１〜５のいずれかに記載の椅子。
【請求項７】
背当部材における当接部より左右方向の外側の部分において、前記背当部材と背凭れ支持部材とを、結合手段をもって結合した請求項１〜６のいずれかに記載の椅子。
【請求項８】
背凭れ支持部材の後面に後面カバーを取り付け、オプション部材と背凭れ支持部材との間に後面カバーを挟んで、オプション部材を、締結部材をもって、背凭れ支持部材に締着した請求項１〜７のいずれかに記載の椅子。
【請求項９】
後面カバーに、前後方向に貫通する挿通孔を設け、オプション部材の被取付部を、前記挿通孔に挿通させて、被取付部の前端面を背凭れ支持部材のオプション部材取付部に当接させた請求項８記載の椅子。
【発明の詳細な説明】
【技術分野】
【０００１】
本発明は、背凭れ支持部材の前面に背当部材を取り付け、かつ背凭れ支持部材の後面に、例えば、ハンガーやヘッドレスト等のオプション部材を取り付けうるようにした椅子に関する。
【背景技術】
【０００２】
従来のこの種の椅子には、背凭れの上部の後フレームの前方に、左右２個のねじ孔を設けたねじ座片を配設し、後フレームの後方に、オプション部材であるハンガーと、取付部材とを順次前後に配設し、それらを左右１対のボルトをもって締着することにより、ハンガーを背凭れに取り付けたものがある(例えば特許文献１参照)。
【０００３】
また、オプション部材であるハンガー取付用のビスが螺合される板ナットを、クランク状に折り曲げ、その一部を、ハンガーとバックフレームとの間に挟むことにより、板ナットの位置決めを図るようにしたものや(例えば特許文献２参照)、同様に、オプション部材であるショルダーレスト取付用のビスを、ショルダーレストにねじ止めした金具のビス挿通穴に挿通し、かつバックフレームのナット挿入穴に挿入したナットに螺合して、ショルダーレストをバックフレームに取り付けるようにしたもの(例えば特許文献３参照)等がある。
【先行技術文献】
【特許文献】
【０００４】
【特許文献１】特許第４７４０６２６号公報
【特許文献２】特開２００９−０６６００１号公報
【特許文献３】特開２０１２−０４０２５２号公報
【発明の概要】
【発明が解決しようとする課題】
【０００５】
特許文献１に記載されているものにおいては、ハンガーを後フレームに取り付ける際、ねじ座片を手で押さえておかなければならず、取付け時の作業性が悪い。
また、特許文献２に記載されているものにおいては、特殊な形状の板ナットを用いたり、板ナットの一部をハンガーとバックフレームとの間に挟み込んだりしなければならず、加工が面倒である上に、取付け時の作業性が悪い。
さらに、特許文献３に記載されているものにおいては、ショルダーレストの取付作業前に、ナットがナット挿入穴から脱落するおそれがある。
【０００６】
本発明は、従来の技術が有する上記のような問題点に鑑みてなされたもので、構造が簡単で、背凭れへのオプション部材の取り付け作業が容易であり、しかも特殊な加工を施したり、特別な部品を用いたりすることなく、締結部材の脱落を防止しうるようにした椅子を提供することを目的としている。
【０００７】
本発明によると、上記課題は、次のようにして解決される。
（１）後面にオプション部材取付部が、また前面に締結部材収容部が設けられ、かつ前記締結部材収容部からオプション部材取付部にかけて、前後方向を向く貫通孔が設けられた背凭れ支持部材と、前面に、前記背凭れ支持部材におけるオプション部材取付部に取り付けられる被取付部が設けられたオプション部材と、一部が前記背凭れ支持部材における締結部材収容部に収容され、かつ他部が前記貫通孔へ挿通され、前記オプション部材と背凭れ支持部材とを締結する締結部材と、前記背凭れ支持部材の前面に取り付けられ、かつ前記背凭れ支持部材における締結部材収容部に収容された締結部材の一部の前面に当接し、その締結部材収容部から前方への脱落を阻止する当接部を有する背当部材とを備えるものとする。
【０００８】
このような構成によると、背凭れ支持部材の締結部材収容部に、締結部材の一部を収容した状態で、背凭れ支持部材に背当部材を取り付けると、締結部材の一部の前面は、背当部材の当接部の後端に当接して、締結部材収容部からの脱落が阻止される。
したがって、この状態で、締結部材の一部を手で保持することなく、オプション部材を、その被取付部を背凭れ支持部材の取付部に当接させて、締結手段をもって、背凭れ支持部材に、簡単かつ迅速に取り付けることができる。
しかも、背凭れ支持部材や背当部材を、締結部材収容部や当接部が形成されるように成形しておくだけで、特別な加工や部品を必要とすることがなく、構造を簡素化しうるとともに、安価に製造することができる。
【０００９】
（２）上記(１)項において、締結部材を、オプション部材側から背凭れ支持部材の貫通孔に挿通されたボルトと、背凭れ支持部材の締結部材収容部に収容され、かつ前記ボルトと螺合するナットとからなるものとし、さらに、前記背凭れ支持部材の締結部材収容部に、前記ナットの回り止め手段を設ける。
【００１０】
このような構成によると、ナットを締結部材収容部に収容した状態で、背凭れ支持部材に背当部材を取り付けることにより、ナットは背凭れ支持部材に回り止めされ、かつ外れ止めされた状態で確実に保持されるので、背凭れ支持部材へのオプション部材の取り付け時に、ボルトを貫通孔に貫通させて、ナットに螺合させる際に、ナットを手で押さえておく必要がなく、オプション部材を背凭れ支持部材に、簡単かつ迅速に取り付けることができる。
【００１１】
（３）上記(１)または(２)項において、背当部材の本体の上部後面に、複数のボスを突設し、一部のボスを背凭れ支持部材に固着し、かつ他の一部のボスの後端をもって当接部とする。
【００１２】
このような構成によると、背当部材の製造が容易になる。
【００１３】
（４）上記(１)〜(３)項のいずれかにおいて、背当部材の本体の上部後面に、該後面から後方に離間するようにして垂下片を設け、この垂下片の前面に、背当部材の一部をなす当て板を配設し、前記当て板の後面に突設した複数のボスを、前記垂下片に設けたボス挿通孔に挿通させ、一部のボスを背凭れ支持部材に固着し、かつ他の一部のボスの後端をもって当接部とする。
【００１４】
このような構成によると、背凭れ支持部材への取付部や当接部を、背当部材の本体に直接設けるのではなく、上記本体と別体とした当て板に設けてあるので、背当部材の本体の製造が容易になるだけでなく、背当部材の本体の均質性を保つことができ、背当部材に着座者の背中が当接したとき、上記本体が均一に弾性撓曲することができ、上記本体に直接背凭れ支持部材への取付部や当接部を設けた場合のように、それらの部分の弾性が他部と異なって、着座者に違和感を与えるといったことがない。
【００１５】
（５）上記(１)〜(４)項のいずれかにおいて、背凭れ支持部材が、左右１対の縦杆の上端部同士を連結する上部連結部と、前記両縦杆の下端部同士を連結する下部連結部とを備える正面視ほぼ方形の枠状をなすものとし、かつ前記上部連結部の一部の縦断側面形状を、前方に向かって開口する凹部が形成されたコ字状とし、前記凹部をもって締結部材収容部とする。
【００１６】
このような構成によると、上部連結部のコ字状の断面形状を利用して、その前方に向かって開口する凹部を締結部材収容部として利用することができ、締結部材収容部を特別に形成する必要がなく、製造が容易である。
【００１７】
（６）上記(１)〜(５)項のいずれかにおいて、背凭れ支持部材における締結部材収容部および貫通孔、締結部材、並びに背当部材における当接部を、それぞれ左右１対ずつ設け、それらの中間部において、前記背凭れ支持部材と背当部材とを、結合手段をもって結合する。
【００１８】
このような構成によると、左右１対の当接部の中間部において、当接部が設けられている背当部材と、締結部材収容部が設けられている背凭れ支持部材とが結合手段をもって結合されるので、当接部によって、締結部材の一部の脱落を確実に防止することができる。
【００１９】
（７）上記(１)〜(６)項のいずれかにおいて、背当部材における当接部より左右方向の外側の部分において、前記背当部材と背凭れ支持部材とを、結合手段をもって結合する。
【００２０】
このような構成によると、  背当部材と背凭れ支持部材との左右方向の位置決めが確実となり、オプション部材を背凭れ支持部材に取り付ける際の、締結部材が左右方向に位置ずれするのを確実に防止することができ、オプション部材を背凭れ支持部材に簡単かつ迅速に取り付けることができる。
【００２１】
（８）上記(１)〜(７)項のいずれかにおいて、背凭れ支持部材の後面に後面カバーを取り付け、オプション部材と背凭れ支持部材との間に後面カバーを挟んで、オプション部材を、締結部材をもって、背凭れ支持部材に締着する。
【００２２】
このような構成によると、オプション部材の取付部においても、後面カバーを背凭れ支持部材に固定することができる。
【００２３】
（９）上記(８)項において、後面カバーに、前後方向に貫通する挿通孔を設け、オプション部材の被取付部を、前記挿通孔に挿通させて、被取付部の前端面を背凭れ支持部材のオプション部材取付部に当接させる。
【００２４】
このような構成によると、オプション部材の被取付部を、背凭れ支持部材に直接取り付けることができ、オプション部材の支持を安定させることができる。
【発明の効果】
【００２５】
本発明によると、構造が簡単で、背凭れへのオプション部材の取り付け作業が容易であり、しかも特殊な加工を施したり、特別な部品を用いたりすることなく、締結部材の脱落を防止しうるようにした椅子を提供することができる。
【図面の簡単な説明】
【００２６】
【図１】本発明の椅子の一実施形態における、背凭れにオプション部材としてのハンガーを取り付ける前の状態の正面図である。
【図２】同じく、斜め前方から見た斜視図である。
【図３】背凭れおよび背凭れ支持杆の一部を斜め前方から見た分解斜視図である。
【図４】背凭れを斜め後方から見た分解斜視図である。
【図５】ハンガーおよび後面カバーを外したときの背凭れの背面図である
【図６】後面カバーおよび背凭れ支持杆を取り付けた状態での図５のVI−VI線拡大縦断側面図である。
【図７】後面カバーおよび背凭れ支持杆を取り付けた状態での図５のVII−VII線拡大縦断側面図である。
【図８】後面カバーを取り付けた状態での図５のVIII−VIII線拡大縦断側面図である。
【図９】後面カバーを取り付けた状態での図５のIX−IX線拡大断面図である。
【図１０】後面カバーを取り付けた状態での図５のX−X線拡大横断平面図である。
【図１１】後面カバーを取り付けた状態での図５のXI−XI線拡大横断平面図である。
【図１２】後面カバーを取り付けた状態での図５のXII−XII線拡大横断平面図である。
【図１３】後面カバーを取り付けた状態での図５のXIII−XIII線拡大横断平面図である。
【図１４】図８のXIV−XIV線拡大断面図である。
【図１５】本発明の椅子の一実施形態における、背凭れにオプション部材としてハンガーを取り付けた状態を斜め後方から見た斜視図である。
【図１６】背凭れの一部とハンガーとを斜め後方から見た分解斜視図である。
【図１７】同じく、斜め前方から見た分解斜視図である。
【図１８】背凭れにハンガーを取り付けた状態の背面図である。
【図１９】図１８のXIX−XIX線拡大横断平面図である。
【図２０】図１８のXX−XX線拡大縦断側面図である。
【図２１】図１８のXXI−XXI線拡大縦断側面図である。
【図２２】図１８のXXII−XXII線拡大縦断側面図である。
【発明を実施するための形態】
【００２７】
以下、本発明の椅子の一実施形態を、図面を参照して説明する。
図１〜図１４は、本発明の椅子の一実施形態における、背凭れにオプション部材としてのハンガーを取り付ける前の状態を示し、図１５〜図２２は、背凭れにオプション部材としてハンガーを取り付けた状態を示す。
【００２８】
図１および図２に示すように、この椅子においては、先端にキャスタ１を設けた放射状に延びる５本の脚２の中央に支柱３を立設してなる脚体４における上記支柱３の上端に、座５および背凭れ６を支持する支持体７が設けられている。
【００２９】
本発明は、背凭れ６の上部後面に、オプション部材としてのハンガーを取り付けたことを特徴とするものであるが、そのハンガーの取付構造に関して説明する前に、前提となる背凭れの構造に関して詳述する。
【００３０】
背凭れ６は、支持体７より後方に向かって延出した後、起立する側面視前向Ｌ字状をなす背凭れ支持杆８(図３参照)における起立部の上部によって支持されている。
背凭れ支持杆８の前端部は、左右方向を向く軸(図示略)をもって、支持体７に枢着され、背凭れ６とともに、支持体７に対して後傾可能となっているが、その後傾のためのリクライニング機構に関しては、本発明に直接関係しないので、図示および詳細な説明は省略する。
なお、背凭れ支持杆８の前端部を、支持体７に固着して実施することもある。
【００３１】
背凭れ６は、硬質合成樹脂材料よりなる正面視ほぼ方形枠状の背凭れ支持部材をなす背凭れフレーム９と、その前面に装着されたエラストマーまたは軟質合成樹脂材料等の可撓性を有する軟質材料よりなる背当部材１０と、この背当部材１０の前面と外周部とを被包するようにして背当部材１０に装着された袋状の表皮材１１と、硬質合成樹脂材料よりなり、背凭れフレーム９の後面を覆うようにして、背凭れフレーム９に装着された後面カバー１２とを備えている。
【００３２】
背凭れフレーム９は、側面視において上下方向の中央部よりやや下方の部分が、前方に向かって突出するように緩やかに屈曲する、上下方向を向く左右１対の縦杆１３、１３と、その上端部同士を連結するとともに、平面視において左右方向の中央部が後方に突出するようにほぼ円弧状に湾曲する上部連結部１４と、左右の縦杆１３、１３の下端部同士を、上部連結部１４の上下幅より大きい上下幅を持って連結するとともに、平面視において左右方向の中央部が後方に突出するようにほぼ円弧状に湾曲する下部連結部１５と、この下部連結部１５の上端における左右方向の中央部から、左右の縦杆１３、１３のやや上部に向かって互いに拡開するように斜めに延出する左右１対の傾斜杆１６、１６とを備えている。なお、背凭れフレーム９と背凭れ支持杆８とを、一体成形されたひとつの部材とすることもある。
【００３３】
図６および図７に示すように、下部連結部１５における左右方向の中央部には、下端のみが開口する方形の凹部１７が設けられ、この凹部１７に、背凭れ支持杆８の後部の起立部の上端部が下方より嵌合され、その上端部と下部連結部１５における凹部１７の前壁１８とを、４個のボルト・ナット１９をもって締着することにより、背凭れフレーム９は、背凭れ支持杆８の後部の起立部の上端部に安定よく固着されている。
背凭れ支持杆８の起立部は、図３に示すように、左右方向を向く金属板の左右両側部に、前方に向かって突出する上下方向を向く突条８ａ、８ａを折曲形成してなり、図７に示すように、各突条８ａの上部２箇所において、ボルト・ナット１９をもって前壁１８に締着されている。
【００３４】
図３、および図８〜図１３に示すように、背凭れフレーム９における左右の各縦杆１３の前面には、上下方向を向く前向凹溝２０が設けられ、この凹溝２０と交差するように、各縦杆１３には、左右方向を向く複数のピン挿入孔２１が、上下方向に適宜の間隔をもって設けられている。
【００３５】
図４、図５、および図１０に示すように、各縦杆１３の後面における外側部には、各ピン挿入孔２１にピンを案内するための左右方向を向く円弧状の案内溝２２が設けられている。
また、図４、図５、および図８に示すように、各縦杆１３における凹溝２０の溝底部であって、ピン挿入孔２１に対応する部分には、前後方向に貫通する縦長の貫通孔２３が設けられている。
【００３６】
図４、図５、および図１２に示すように、各縦杆１３の下部であって、下部連結部１５の両側部には、凹溝２０の一部を含んで前後方向に貫通する方形の貫通孔２４が設けられている。
【００３７】
図４、図５、図１１、および図１３に示すように、各縦杆１３の後面における上記貫通孔２４を挾む上下部には、段付き孔２５、２５が設けられている。
【００３８】
図３、図５、および図８に示すように、各縦杆１３の上端であって、上部連結部１４の両側部には、平面視ほぼ方形の係合孔２６が設けられている。
【００３９】
図３〜図５、および図９に示すように、上部連結部１４の後面における左右方向の中央部には、左右方向を向く長円形の浅い凹入段部２７が設けられており、その凹入段部２７の中央には、ねじ挿通孔２８が、またその両側部には、前後方向の貫通孔をなすオプション部材取付孔２９、２９が設けられている。
【００４０】
上部連結部１４の後面における凹入段部２７の両側方には、位置決め孔３０、３０が、さらにその外側の両側方には、段付き孔３１、３１が設けられている。
【００４１】
背凭れフレーム９の前面および後面には、補強および材料の軽減を目的とした多数のリブや肉抜き孔が設けられているが、それらについては、本発明に関連するもののみについて説明し、その他については説明を省略する。
【００４２】
図３、および図９〜図１３に示すように、背凭れフレーム９には、各縦杆１３の内側の縁を形成するとともに、そこから上下に延長して、上部連結部１４および下部連結部１５の前面におけるリブを形成する縦リブ３２が設けられている。
背当部材１０の両側部を支持する支持手段(後述する)よりも内方において、左右の縦杆１３の内側の前縁、すなわち各縦リブ３２の内側の前縁には、背当部材１０の後面に当接する前端面から内側方に向かって、背当部材１０の後面からの離間寸法が漸次増大するなだらかな円弧状の曲面をなす、背当部材１０のための変形許容部３３が、上下方向に連続して設けられている。
【００４３】
この変形許容部３３の曲率半径を、上部から下部に向かって漸次小とすることにより、背当部材１０の後面と変形許容部３３との対向面の離間寸法が、上方に向かって漸次大となるようにしてある(図９〜図１３参照)。
なお、図示は省略するが、この変形許容部３３の曲率半径を上部から下部に向かって漸次大として、背当部材１０の後面と変形許容部３３との対向面の離間寸法を、下方に向かって漸次大となるようにすることもある。また、変形許容部３３は、円弧状の曲面とする以外に、例えば内方に向かうにしたがって曲率半径が漸次小となる放物面、または一部にフラットな傾斜面を有するものとしてもよい。
【００４４】
このように、左右の縦杆１３における縦リブ３２の内側の前縁に、背当部材１０の後面に当接する前端面から内側方に向かって、背当部材１０の後面からの離間寸法が漸次増大する変形許容部３３を設けると、着座者の背中により背当部材１０が後方へ押圧された際に、その中央部が後方に弾性変形するのに伴なって、背当部材１０の左右両側部も、縦杆１３の内側の前縁を支点として変形許容部３３に沿って後方に弾性変形し易くなる。従って、背当部材１０の中央部と両側部との変形量に大きな差が生じにくくなり、背当部材１０全体が効果的に後方に弾性変形することにより、着座者の背中が快適に支持されるようになる。
【００４５】
また、変形許容部３３を、なだらかな曲面をなす形状としてあるので、変形許容部３３に沿って、背当部材１０が後方に弾性変形し易くなり、かつ背当部材１０の両側部に大きな曲げ応力が加わらないので、縦杆１３と当接する後面が損耗する恐れが小さくなる。
【００４６】
さらに、変形許容部３３の曲率半径を、上部から下部に向かって漸次小とし、背当部材１０の後面と変形許容部３３との対向面の離間寸法を、上方に向かって漸次大となるようにすると、背中の荷重が大きく加わる背当部材１０の上部の両側部ほど、後方に大きく弾性変形するようになるので、背凭れ６をリクライニングさせて凭れ掛けた際の感触がよくなる。
【００４７】
なお、これとは反対に、変形許容部３３の曲率半径を上部から下部に向かって漸次大とし、背当部材１０の後面と変形許容部３３との対向面の離間寸法を、下方に向かって漸次大となるようにすると、臀部を座５の奥部に位置させて深く着座し、この状態で背凭れ６をリクライニングさせた際等において、背当部材１０の下部の両側部ほど、後方に大きく弾性変形し易くなるので、腰部付近が好適に支持される。
【００４８】
各縦杆１３は、上記縦リブ３２と、縦杆１３の外側面を形成する縦リブ３４との間の前面に、上下方向を向く肉抜き凹溝３５と上記凹溝２０とが互いに並列して設けられた、前向き凵状断面をなしている。
【００４９】
図３〜図５に示すように、背当部材１０は、正面視ほぼ方形の板状の本体を有し、その上下左右の縁部を除く内側の部分に、多数の小孔３６を設けることにより、その部分を撓み易くしてある。この本体の左右両側部の後面には、上下方向を向く差込片３７、３７が、後方に向かって突出するようにして一体的に設けられている。
【００５０】
各差込片３７には、背凭れフレーム９の各縦杆１３における複数のピン挿入孔２１と対応する部分に、左右方向を向くピン挿入孔３８が、また各縦杆１３における貫通孔２４と対応する部分に、後端部に内向きの係合爪３９ａを有する弾性係合片３９がそれぞれ設けられている。
各差込片３７の後端縁における各ピン挿入孔３８の後方の部分には、各ピン挿入孔３８の中心を曲率中心とする側面視円弧状の突部３７ａが形成されている。
【００５１】
背当部材１０の上半部の後面における左右の差込片３７、３７の外側の部分には、各差込片３７と平行の左右1対の縦リブ４０、４０が設けられている。各縦リブ４０における上部の３個のピン挿入孔３８に対応する部分には、ピンの挿入の妨げとならないための円弧状の切欠き４０ａが設けられている。
【００５２】
図６〜図８に示すように、背当部材１０の上部には、後上方に向かって緩く屈曲する屈曲部１０ａが形成されており、この屈曲部１０ａの後面における上端より下方の部分には、平面視および後面視において三日月形をなし、かつ左右方向の中央部の縦断面形状が前方に凸の円弧状をなし、かつ屈曲部１０ａの後面に対して鋭角をなして後下方を向く下向片４１と、その下縁から鈍角をなして後方に向かって延出する後向片４２と、下向片４１と後向片４２との結合部から垂下する垂下片４３とが、一体的に設けられている。
この下向片４１と後向片４２とにより、背凭れ支持部材である背凭れフレーム９の上端から上方に離間するようにして、背当部材１０の上部後面から後方に向かって延出し、かつ背当部材１０と背凭れフレーム９との間の空間の上方と、背凭れフレーム９の上方とを覆う可撓性を有する軟質材料性の後覆い部が形成されている。
後向片４２は、下向片４１の左右方向の外側においても延出し、その外側の部分の後端は、屈曲部１０ａの後面と一体となっている。
【００５３】
なお、後向片４２の前後方向の長さは、本実施例のように、背凭れフレーム９の上面のほぼ全体を覆う長さとすることが、背当部材１０と背凭れフレーム９との間の空間に指や物品が入り込むのを確実に回避できる点、および、後向片４２の下端部が背凭れフレーム９の上端面に当接して、後向片４２の下端部よりも上方の部位、および下向片４１を撓曲させやすくする点から好ましいが、少なくとも、背当部材１０と背凭れフレーム９との間の空間の上方を覆いうるだけの長さがあればよい。この場合でも、着座者が背当部材１０にもたれかかると、背当部材１０の屈曲部１０ａは後方へ撓曲し、後面カバー１２の上端部との距離が小となるので、背当部材１０と背凭れフレーム９との間の空間に指や物品が入り込むことを回避することができる。また、前向き片６０の前後方向の長さを大として、背凭れフレーム９の上方の空間を、より広い範囲にわたって覆ってもよい。
【００５４】
垂下片４３から両側方に離間する後向片４２の両側部後端には、下端に前向き片４４ａを有し、かつ背当部材１０の各側部を背凭れフレーム９に係止させる係止手段をなす下向きの係合片４４が設けられている(図８参照)。
この係合片４４の横断面形状は、図１４に示すように、内側方に向かって拡開する楔状をなしている。
【００５５】
垂下片４３における左右方向の中央部とその両側方とには、背凭れフレーム９の上部連結部１４におけるねじ挿通孔２８とその両側方におけるオプション部材取付孔２９、２９、位置決め孔３０、３０、および段付き孔３１、３１に対応するボス挿通孔４５、４６、４６、４７、４７、４８、４８が設けられている。
【００５６】
垂下片４３の前面には、硬質合成樹脂材料よりなる補強材を兼ねる当て板４９が配設されている。この当て板４９の後面には、上記垂下片４３におけるボス挿通孔４５、４６、４６、４７、４７、４８、４８に対応し、それらに前方から嵌合しうる後方を向く複数のボス５０、５１、５１、５２、５２、５３、５３が一体的に設けられている。
【００５７】
図８〜図１３に示すように、左右の各差込片３７を、背凭れフレーム９の前面における左右の凹溝２０に前方より挿入し、対応するピン挿入孔２１とピン挿入孔３８とを整合させた状態で、ピン５４を背凭れフレーム９の両側方から、各ピン挿入孔２１とピン挿入孔３８とに挿入して(図１０参照)、差込片３７を凹溝２０から抜け止めし、かつ弾性係合片３９を貫通孔２４に嵌合して、その後端の係合爪３９ａを、貫通孔２４の後端の外側の縁に係止させ(図１２参照)、さらに、垂下片４３の前面に配設した当て板４９のボス５０、５１、５１、５２、５２、５３、５３を、垂下片４３におけるボス挿通孔４５、４６、４６、４７、４７、４８、４８に嵌合し、かつボス５２、５２、５３、５３を、背凭れフレーム９の上部連結部１４における位置決め孔３０、３０および段付き孔３１、３１に嵌合し、かつ各段付き孔３１に後方より挿通させた止めねじ５５を、ボス５３に設けた雌ねじ孔５６に螺合して締め付けることにより(図９参照)、背当部材１０は、背凭れフレーム９に、強固に、かつ安定よく装着されている。
上記差込片３７、ピン５４、弾性係合片３９、および突片２４ａ等により、背凭れフレーム９の左右の縦杆１３に、背当部材１０の両側部を支持する支持手段が形成されている。
【００５８】
各差込片３７を、背凭れフレーム９の前面における左右の凹溝２０に前方より挿入したとき、差込片３７の後端における円弧状の各突部３７ａが、背凭れフレーム９における対応する貫通孔２３に嵌合することにより、各差込片３７は、背凭れフレーム９に対して上下方向に位置決めされる。
【００５９】
図３および図４に示すように、背凭れフレーム９の両側方よりピン挿入孔２１に挿入する上方の３本のピン５４の頭部同士は、上下方向を向く連結杆５７をもって互いに連結され、各ピン５４をピン挿入孔２１に挿入したとき、図１０に示すように、連結杆５７が背凭れフレーム９の外側面に当接するようにしてある。
【００６０】
図示は省略してあるが、背凭れフレーム９の両側の下方のピン挿入孔２１に挿入する２本のピンも、連結杆５７と同様の連結杆をもって連結し、上方の３本のピン５４と同様にして、背凭れフレーム９の下方のピン挿入孔２１に挿入するのがよい。
なお、弾性係合片３９の係合爪３９ａを、貫通孔２４の後端の外側の縁に係止させるだけでも、背当部材１０の下部は背凭れフレーム９に確実に装着されるので、下方の２本のピンのピン挿入孔２１への挿入は省略することもある。
【００６１】
図５および図１２に示すように、弾性係合片３９の係合爪３９ａには、上下方向を向く係合孔３９ｂを設けておき、係合爪３９ａを貫通孔２４の後端の外側の縁に係止させたとき、上記係合孔３９ｂに、背凭れフレーム９における貫通孔２４の後端の外側の縁に突設した後方を向く突片２４ａが係合して、係合爪３９ａが、貫通孔２４の後端の外側の縁から内方に外れるのを防止しうるようにしておくのが望ましい。
【００６２】
図３〜図５、および図８に示すように、背凭れフレーム９の上端両側部における係合孔２６に、背当部材１０の後面側の上隅部に設けた下向の係合片４４を上方より嵌合して、係合孔２６の前縁に係合させ、かつ係合片４４の下端の前向き片４４ａが、係合孔２６の下端の前縁に係合しうるようにしておくことにより、背当部材１０の上端における左右の角部が、背凭れフレーム９から前方に剥離するのを防止することができる。
なお、組み付け手順としては、背凭れフレーム９の上端両側部における係合孔２６に、背当部材１０の係合片４４を上方より嵌合して、係合孔２６の前縁に係合させ、かつ係合片４４の下端の前向き片４４ａが、係合孔２６の下端の前縁に係合させ、その後、上記のように、差込片３７を、背凭れフレーム９の前面における左右の凹溝２０に前方より挿入して、背当部材１０を背凭れフレーム９に装着することになる。
【００６３】
図６および図７に示すように、背当部材１０を背凭れフレーム９の正規の位置に装着したとき、背当部材１０における後向片４２が、背凭れフレーム９の上端を覆って、外観を向上させるようにしてある。
【００６４】
表皮材１１は、織布、メッシュ地、その他の張材の外周縁部に形成した筒状の紐通し部１１ａに引き紐５８(図６以降参照)を挿通し、背当部材１０の前面と外周部とを被包させた後、背当部材１０の後面側において、引き紐５８を引き締めて結ぶことにより、背当部材１０に装着されている。引き紐５８は、伸縮性を有するものを使用することもある。
【００６５】
背当部材１０に表皮材１１を装着した状態で、背当部材１０を上記のようにして背凭れフレーム９に装着することにより、背当部材１０の両側部の後面側においては、表皮材１１の両側部の端末における紐通し部１１ａが、背当部材１０の後面側の縦リブ４０の内側に係合した状態で、表皮材１１における紐通し部１１ａから背当部材１０の外側縁に沿って前方に折り返されるまでの部分が、背凭れフレーム９における縦リブ４０の前端と、後面カバー１２の前面における両側端より僅かに内方寄りの部分に突設した前向き片５９の前端とによって、背当部材１０の後面に向かって前向きに押圧され、表皮材１１の両側部が背凭れフレーム９から外側方に外れるのが確実に阻止されている。
【００６６】
表皮材１１における背当部材１０の上端部において後面側に折り返された部分の下縁は、背当部材１０の後面における下向片４１と後向片４２との結合部分に当接したり(図６参照)、下向片４１より上方の背当部材１０の後面に密接したり(図７参照)、背当部材１０の後面と後向片４２との連結部に当接したり(図８参照)するようになっている。
【００６７】
表皮材１１の下縁は、図６〜図８に示すように、背当部材１０の下端部において、単に上向きに折り返されているだけである。
【００６８】
図３および図４に示すように、後面カバー１２は、その前面に、上記の左右の前向き片５９、５９の他に、上端より僅かに下方の部分に突設され、かつ左右の前向き片５９、５９の上端と結合するようにした、前方に向かってほぼ水平に延出する前向き片６０を備えている。
この前向き片６０の左右両側部の前縁には、垂下片６１、６１が設けられている。
この垂下片６１の前面は、図１４に示すように、係合片４４の後面と平行をなすように、平面視において外側部が内側部より前方に位置するように傾斜し、かつ横断面形状が、後方に向かって開口する後向コ字状をなしている。
【００６９】
後面カバー１２の前面における下部の両側部には、背凭れフレーム９における貫通孔２４に対応する正面視方形の嵌合突部６２と、同じく上下の係合孔２５、２５に対応する円筒状の係合突部６３、６３とが突設されている。
各係合突部６３の先端部には、外向きの係止爪６３ａが設けられている。
【００７０】
後面カバー１２の後面における上部の左右方向の中央部には、左右方向を向く長円形の浅い凹入段部６４が設けられており、その凹入段部６４の中央には、ねじ挿通孔６５が、またその両側部には、左右方向を向く長円形のオプション部材取付孔６６、６６が設けられている。
【００７１】
図８および図１４に示すように、背当部材１０の係合片４４が前縁に係合された、背凭れフレーム９の上端両側部の係合孔２６に、左右の垂下片６１を、その前面が係合片４４の後面に当接するか、または近接するようにして嵌合し、図１２に示すように、背当部材１０における弾性係合片３９の係合爪３９ａが後端の外側の縁に係止された、背凭れフレーム９の左右の貫通孔２４に、左右の嵌合突部６２を、その外側面が弾性係合片３９の内側面に当接するようにして嵌合し、図１１および図１３に示すように、各係合突部６３を、背凭れフレーム９における対応する段付き孔２５に嵌合して、その係止爪６３ａを段付き孔２５の前端縁に係止し、さらに、図６および図９に示すように、後面カバー１２の後方から、ねじ挿通孔６５と、背凭れフレーム９のねじ挿通孔２８とを順次挿通させた止めねじ６７を、当て板４９のボス５０に設けた雌ねじ孔６８に螺合して締め付けることにより、後面カバー１２は、背凭れフレーム９の後面に、強固に、かつ安定よく装着されている。
【００７２】
図１０に示すように、後面カバー１２を背凭れフレーム９に装着した状態において、ピン５４と一体をなす連結杆５７は、後面カバー１２の左右両側部における前面、および/または左右の前向き片５９と当接することにより押えられ、外側方への脱落が防止されている。これにより、ピン５４のピン挿入孔３８からの脱落を防止する脱落防止手段を別途設けることなく、ピン５４の脱落が防止されるとともに、背当部材１０の背凭れフレーム９からの脱落も防止される。なお、複数のピン５４を連結杆５７により連結しないで、ピン５４を単体で使用することもできるが、この際には、各ピン５４に拡径頭部を設け、この拡径頭部を、後面カバー１２における両側部の前面により押えうるようにすれば、その脱落を防止することができる。
【００７３】
また、左右の垂下片６１を、背当部材１０の係合片４４が前縁に係合された、背凭れフレーム９の上端両側部の係合孔２６に、上記のようにして嵌合することにより、係合片４４を係合孔２６から抜け止めすることができ、また、左右の嵌合突部６２を、背当部材１０における弾性係合片３９の係合爪３９ａが後端の外側の縁に係止された、背凭れフレーム９の左右の貫通孔２４に、上記のようにして嵌合することにより、弾性係合片３９を貫通孔２４から抜け止めすることができる。
【００７４】
後面カバー１２の後面における凹入段部６４には、銘板を兼ねるキャップ６９が、着脱可能として嵌着されている。
【００７５】
次に、図１５〜図２２を参照して、オプション部材としてのハンガー７０と、その背凭れ６への取付構造とについて説明する。
ハンガー７０は、図１５〜図１７に示すように、ハンガー本体７１と、その前後に配設されて、ハンガー本体７１の下部を前後から挾む前取付部材７２と後取付部材７３とを備えている。
【００７６】
ハンガー本体７１は、下端が左右方向を向く連結部７４をもって互いに連結され、かつ上下方向を向く直線部７５ａの上端に、互いに上方に向かって左右方向の外側に拡開するように傾斜する傾斜部７５ｂと有する左右１対の支持杆７５、７５と、左右方向の両端部が両支持杆７５、７５の上端に連設されて支持され、上着を掛けることができるようにした、左右方向を向く上面板７６とを備えている。
【００７７】
左右の支持杆７５、７５の直線部７５ａ、７５ａの前面における内側の縁部には、後方に向かって凹入する前部凹入段部７７が設けられており、両直線部７５ａ、７５ａの後面における内側の縁部には、前方に向かって凹入する後部凹入段部７８が設けられている。
【００７８】
前部凹入段部７７には、前向きに突出する複数の山形突部７９が、上下方向に並べて設けられている。
【００７９】
前取付部材７２は、上下方向を向く基片８０を備えており、この基片８０の前面には、前向き突部８１が、また基片８０の後面には、ハンガー本体７１における左右の支持杆７５、７５間に嵌合される後向き突部８２が設けられている。
【００８０】
前向き突部８１の前面は、オプション部材の被取付部をなし、その前面には、それぞれの基部に左右方向に長い長円形の拡幅段部８３ａが設けられた左右１対のボス８３、８３が、前向きに突設されており、各ボス８３の中心には、前取付部材７２全体を貫通するねじ挿通孔８４が設けられている。
【００８１】
後向き突部８２の後面には、肉抜き孔８５が適宜設けられている。
基片８０の後面における後向き突部８２の両側部には、左右１対の後向き突片８６、８６が設けられており、各後向き突片８６の後端には、図２２に示すように、ハンガー本体７１における複数の山形突部７９のうち、任意の、互いに隣接する２個の山形突部７９に跨って係合するようにした側面視谷形の係合溝８７が設けられている。
【００８２】
後取付部材７３の後面上部には、後面カバー１２の凹入段部６４と同形の左右方向に長い長円形の凹入段部８８が設けられており、凹入段部８８の中央部には、小孔８９が、両側部にはねじ挿通孔９０、９０がそれぞれ設けられている。
【００８３】
図１６に示すように、背凭れフレーム９の上部連結部１４の後面における凹入段部２７、およびその内側のオプション部材取付孔２９、２９は、オプション部材取付部をなしている。
また、図１７に示すように、背凭れフレーム９の上部連結部１４の縦断側面形状は、前方に向かって開口する凹部９１が形成されたコ字状をなし、この凹部９１の左右方向の中央部における左右１対のオプション部材取付孔２９、２９の前方の部分が、締結部材収容部９２をなしている。
【００８４】
この実施形態においては、ハンガー７０を背凭れフレーム９に取り付けるための締結部材９３は、左右１対のボルト９４、９４(図１６、図１７、図１９および図２１参照)と、それらに螺合する左右１対の板ナット９５、９５とからなっている。
各板ナット９５は、長円形の板部９５ａの片面の中央に、ボス部９５ｂが連設され、板部９５ａとボス部９５ｂの中央をねじ孔９５ｃが貫通するようにしたものよりなっている。
【００８５】
各板ナット９５は、板部９５ａの後面が背凭れフレーム９の上部連結部１４におけるオプション部材取付孔２９の前端開口縁に当接するまで、ボス部９５ｂをオプション部材取付孔２９に前方より嵌合したとき、板部９５ａの長辺が、上部連結部１４における凹部９１の底壁上面に設けた左右方向を向く突条９６に当接して、回り止めされるようになっている。したがって、突条９６は、板ナット９５の回り止め手段をなしている。
【００８６】
図１９および図２１に示すように、左右の板ナット９５を上部連結部１４における締結部材収容部９２に収容した状態で、背当部材１０を背凭れフレーム９に、上述したようにして取り付けると、当て板４９における左右のボス５１、５１の後端が、当接部となって、各板ナット９５の前面に当接し、板ナット９５が締結部材収容部９１から前方へ脱落するのが阻止されるようになっている。
【００８７】
次に、背凭れ６へのオプション部材の取り付け要領について説明する。
上記のように、左右の板ナット９５を、予め上部連結部１４における締結部材収容部９１に収容した状態で、背当部材１０を背凭れフレーム９に取り付け、各板ナット９５を上部連結部１４に回り止めおよび抜け止めした状態で、背凭れフレーム９の後面に、後面カバー１２を、上記のようにして取り付ける。
このとき、キャップ６９は、後面カバー１２の凹入段部６４から外しておく。
【００８８】
次いで、ハンガー本体７１が、前取付部材７２に対して所望の高さとなるように、左右の支持杆７５における複数の山形突部７９のうちの互いに隣接する２個の山形突部７９が、前取付部材７２における左右の後向き突片８６の係合溝８７に係合するようにし、かつ後取付部材７３の両側部が、左右の支持杆７５の後部凹入段部７８に嵌合するようにして、ハンガー本体７１の両支持杆７５の直線部７５ａを前後から挟み、その状態で、前取付部材７２の前面における左右のボス８３の拡幅段部８３ａが、後面カバー１２における左右のオプション部材取付孔６６に嵌合し、かつ左右のボス８３が、背凭れフレーム９における左右のオプション部材取付孔２９に嵌合するようにし、左右のボルト９４を、後取付部材７３のねじ挿通孔９０、前取付部材７２のねじ挿通孔８４に挿通させて、その前方に配設された各板ナット９５のねじ孔９５ｃに螺合して締め付けることにより、ハンガー本体７１は、前取付部材７２および後取付部材７３とともに、背凭れフレーム９に強固に取り付けられる。
【００８９】
各ボルト９４を板ナット９５のねじ孔９５ｃに螺合するとき、各板ナット９５は、その板部９５ａの長辺が突条９６の上面に当接して回り止めされ、かつ板部９５ａの前面が当て板４９のボス５１の後端に当接して、締結部材収容部９２から前方への脱落が阻止されているので、ボルト９４を板ナット９５のねじ孔９５ｃに、円滑かつ迅速に螺合して締め付けることができる。
【００９０】
その後、後面カバー１２から外しておいたキャップ６９を、後取付部材７３の後面における凹入段部８８に着脱自在に嵌合する。
【００９１】
背凭れフレーム９に対するハンガー本体７１の取り付け高さを変更したいときは、ボルト９４を板ナット９５から一旦外して、後取付部材７３を若干後方に移動し、ハンガー本体７１における複数の山形突部７９のうちの、それまでとは異なる別の互いに隣接する２個の山形突部７９が、前取付部材７２における左右の後向き突片８６の係合溝８７に係合するようにして、後取付部材７３を元の位置まで戻し、ボルト９４を板ナット９５のねじ孔９５ｃに螺合して締め付け直せばよい。
【００９２】
後面カバー１２を省略して実施する場合には、被取付部である前取付部材７２の前面を、背凭れフレーム９の後面におけるオプション部材取付部に直接当接させて、ボルト９４と板ナット９５とからなる締結部材９３をもって、ハンガー本体７１を、前取付部材７２と後取付部材７３とにより前後から挟んで、背凭れフレーム９に締着固定すればよい。
【００９３】
オプション部材は、ハンガー７０に限るものではなく、例えば、ヘッドレストやその他の部材とすることができる。
【００９４】
本発明は、上記実施形態のみに限定されるものではなく、特許請求の範囲を逸脱することなく、例えば、次のような幾多の変形した態様での実施が可能である。
(１)  板ナット９５に代えて、六角ナットとする。
(２)  ボス５２を、ボス５３と同様に、雌ねじ孔を設けたものとし、この雌ねじ孔に螺合する止めねじ等の結合手段をもって、ボス５２を背凭れフレーム９の上部連結部１４に固着する。
(３)  当て板４９におけるボス５０、５１、５２、５３と同様のものを、背当部材１０の本体の上部後面に直接突設し、当て板４９および垂下片４３等を省略する。
【符号の説明】
【００９５】
１  キャスタ
２  脚
３  支柱
４  脚体
５  座
６  背凭れ
７  支持体
８  背凭れ支持杆
８ａ突条
９  背凭れフレーム(背凭れ支持部材)
１０  背当部材
１０ａ屈曲部
１１  表皮材
１１ａ紐通し部
１２  後面カバー
１３  縦杆
１４  上部連結部
１５  下部連結部
１６  傾斜杆
１７  凹部
１８  前壁
１９  ボルト・ナット
２０  凹溝
２１  ピン挿入孔
２２  案内溝
２３  貫通孔
２４  貫通孔
２４ａ突片
２５  段付き孔
２６  係合孔
２７  凹入段部(オプション部材取付部)
２８  ねじ挿通孔
２９  オプション部材取付孔(貫通孔)
３０  位置決め孔
３１  段付き孔
３２  縦リブ
３３  変形許容部
３４  縦リブ
３５  肉抜き凹溝
３６  小孔
３７  差込片
３７ａ突部
３８  ピン挿入孔
３９  弾性係合片
３９ａ係合爪
３９ｂ係合孔
４０  縦リブ
４０ａ切欠き
４１  下向片(後覆い部)
４２  後向片(後覆い部)
４３  垂下片
４４  係合片
４４ａ前向き片
４５、４６、４６、４７、４８  ボス挿通孔
４９  当て板
５０、５１、５２、５３  ボス
５４  ピン
５５  止めねじ
５６  雌ねじ孔
５７  連結杆
５８  引き紐
５９、６０  前向き片
６１  垂下片
６２  嵌合突部
６３  係合突部
６３ａ係止爪
６４  凹入段部
６５  ねじ挿通孔
６６  オプション部材取付孔
６７  止めねじ
６８  雌ねじ孔
６９  キャップ
７０  ハンガー(オプション部材)
７１  ハンガー本体
７２  前取付部材
７３  後取付部材
７４  連結部
７５  支持杆
７５ａ直線部
７５ｂ傾斜部
７６  上面板
７７  前部凹入段部
７８  後部凹入段部
７９  山形突部
８０  基片
８１  前向き突部
８２  後向き突部
８３  ボス
８３ａ拡幅段部
８４  ねじ挿通孔
８５  肉抜き孔
８６  後向き突片
８７  係合溝
８８  凹入段部
８９  小孔
９０  ねじ挿通孔
９１  凹部
９２  締結部材収容部
９３  締結部材
９４  ボルト
９５  板ナット
９５ａ板部
９５ｂボス部
９５ｃねじ孔
９６  突条(回り止め手段)
【図１】
2014023853.tif 000003
【図２】
2014023853.tif 000004
【図３】
2014023853.tif 000005
【図４】
2014023853.tif 000006
【図５】
2014023853.tif 000007
【図６】
2014023853.tif 000008
【図７】
2014023853.tif 000009
【図８】
2014023853.tif 000010
【図９】
2014023853.tif 000011
【図１０】
2014023853.tif 000012
【図１１】
2014023853.tif 000013
【図１２】
2014023853.tif 000014
【図１３】
2014023853.tif 000015
【図１４】
2014023853.tif 000016
【図１５】
2014023853.tif 000017
【図１６】
2014023853.tif 000018
【図１７】
2014023853.tif 000019
【図１８】
2014023853.tif 000020
【図１９】
2014023853.tif 000021
【図２０】
2014023853.tif 000022
【図２１】
2014023853.tif 000023
【図２２】
2014023853.tif 000024